【手続補正書】
【提出日】平成17年10月7日(2005.10.7)
【手続補正１】
【補正対象書類名】明細書
【補正対象項目名】発明の名称
【補正方法】変更
【補正の内容】
【発明の名称】直交周波数分割多重信号の送信装置、受信装置、受信方法及び集積回路
【手続補正２】
【補正対象書類名】明細書
【補正対象項目名】特許請求の範囲
【補正方法】変更
【補正の内容】
【特許請求の範囲】
【請求項１】  直交周波数分割多重信号の送信装置によって送信された信号を受信する直交周波数分割多重信号の受信装置であって、前記直交周波数分割多重信号をフーリエ変換することにより周波数軸に変換するフーリエ変換手段と、前記フーリエ変換の出力からＴＭＣＣ信号を取り出すＴＭＣＣ復号手段と、前記ＴＭＣＣ復号手段から取り出したセグメント構成変更通知情報に基づいて、受信装置の制御を行う受信機制御手段とを具備することを特徴とする直交周波数分割多重信号の受信装置。
【請求項２】  直交周波数分割多重信号の送信装置によって送信された信号を受信する直交周波数分割多重信号の受信装置であって、前記直交周波数分割多重信号をフーリエ変換することにより、周波数軸に変換するフーリエ変換手段と、前記フーリエ変換の出力からＡＣ信号を復号するＡＣ復号手段と、前記ＡＣ復号手段から取り出したセグメント構成変更通知情報に基づいて、受信装置の制御を行う受信機制御手段とを具備することを特徴とする直交周波数分割多重信号の受信装置。
【請求項３】  直交周波数分割多重信号を受信する装置であって、受信した信号をフーリエ変換することにより周波数軸信号に変換するフーリエ変換手段と、前記フーリエ変換手段の出力から受信した信号が基本セグメントか拡張セグメントかを識別する拡張セグメント識別手段と、前記拡張セグメント識別手段の出力に基づいて、受信装置の制御を行う受信機制御手段とを具備することを特徴とする直交周波数分割多重信号の受信装置。
【請求項４】  前記拡張セグメント識別手段は、前記フーリエ変換手段の出力をシンボル間で差動検波する差動検波手段と、前記差動検波手段の出力と、基本セグメントと拡張セグメントのパイロット信号の有無を示す配置情報からの信号との相関を算出する相関算出手段と、前記相関算出手段の出力から受信した信号が基本セグメントであるか拡張セグメントであるかを判定する判定手段とを具備することを特徴とする請求項３に記載の直交周波数分割多重信号の受信装置。
【請求項５】  前記受信機制御手段は、基本セグメント受信から拡張セグメント受信への変更時に、変更された旨をユーザに提示することを特徴とする請求項１〜４のいずれか一項に記載の直交周波数分割多重信号の受信装置。
【請求項６】  前記受信機制御手段は、基本セグメント受信から拡張セグメント受信への変更時に、変更された旨をユーザに提示するとともに、自動的に基本セグメントへ再選局することを特徴とする請求項１〜４のいずれか一項に記載の直交周波数分割多重信号の受信装置。
【請求項７】  前記受信機制御手段は、基本セグメント受信から拡張セグメント受信への変更時に、変更された旨をユーザに提示するとともに、次にどのチャネルを選局するかを提示することを特徴とする請求項１〜４のいずれか一項に記載の直交周波数分割多重信号の受信装置。
【請求項８】  前記受信機制御手段は、基本セグメント受信から拡張セグメント受信への変更時に、変更された旨をユーザに提示せずに、自動的に基本セグメントへ再選局することを特徴とする請求項１〜４のいずれか一項に記載の直交周波数分割多重信号の受信装置。
【請求項９】  直交周波数分割多重信号を受信する受信方法であって、
フーリエ変換部では受信した信号を周波数軸信号にフーリエ変換し、
拡張セグメント識別部では前記フーリエ変換部の出力から受信した信号が基本セグメントか拡張セグメントかを識別し、
制御部では前記拡張セグメント識別部の出力に基づいて、受信装置を制御することを特徴とする直交周波数分割多重信号の受信方法。
【請求項１０】  前記拡張セグメント識別部は、
差動検波部では前記フーリエ変換部の出力をシンボル間で差動検波し、
相関算出部では前記差動検波部の出力と、基本セグメントと拡張セグメントのパイロット信号の有無を示す配置情報からの信号との相関を算出し、
判定部では前記相関算部の出力から受信した信号が基本セグメントであるか拡張セグメントであるかを判定することを特徴とする請求項９に記載の直交周波数分割多重信号の受信方法。
【請求項１１】  直交周波数分割多重信号を受信する受信装置の集積回路であって、
フーリエ変換部では受信した信号を周波数軸信号にフーリエ変換し、
拡張セグメント識別部では前記フーリエ変換部の出力から受信した信号が基本セグメントか拡張セグメントかを識別し、
制御部では前記拡張セグメント識別部の出力に基づいて、受信装置を制御することを特徴とする直交周波数分割多重信号受信装置の集積回路。
【請求項１２】  前記拡張セグメント識別部は、
差動検波部では前記フーリエ変換部の出力をシンボル間で差動検波し、
相関算出部では前記差動検波部の出力と、基本セグメントと拡張セグメントのパイロット信号の有無を示す配置情報からの信号との相関を算出し、
判定部では前記相関算部の出力から受信した信号が基本セグメントであるか拡張セグメントであるかを判定することを特徴とする請求項１１に記載の直交周波数分割多重信号受信装置の集積回路。
【手続補正３】
【補正対象書類名】明細書
【補正対象項目名】００２０
【補正方法】変更
【補正の内容】
【００２０】
本願請求項１に係る発明は、直交周波数分割多重信号の送信装置によって送信された信号を受信する直交周波数分割多重信号の受信装置であって、前記直交周波数分割多重信号をフーリエ変換することにより周波数軸に変換するフーリエ変換手段と、前記フーリエ変換の出力からＴＭＣＣ信号を取り出すＴＭＣＣ復号手段と、前記ＴＭＣＣ復号手段から取り出したセグメント構成変更通知情報に基づいて、受信装置の制御を行う受信機制御手段とを具備することを特徴とする。
【手続補正４】
【補正対象書類名】明細書
【補正対象項目名】００２１
【補正方法】変更
【補正の内容】
【００２１】
本願請求項２に係る発明は、直交周波数分割多重信号の送信装置によって送信された信号を受信する直交周波数分割多重信号の受信装置であって、前記直交周波数分割多重信号をフーリエ変換することにより、周波数軸に変換するフーリエ変換手段と、前記フーリエ変換の出力からＡＣ信号を復号するＡＣ復号手段と、前記ＡＣ復号手段から取り出したセグメント構成変更通知情報に基づいて、受信装置の制御を行う受信機制御手段とを具備することを特徴とする。
【手続補正５】
【補正対象書類名】明細書
【補正対象項目名】００２２
【補正方法】変更
【補正の内容】
【００２２】
本願請求項３に係る発明は、直交周波数分割多重信号を受信する装置であって、受信した信号をフーリエ変換することにより周波数軸信号に変換するフーリエ変換手段と、前記フーリエ変換手段の出力から受信した信号が基本セグメントか拡張セグメントかを識別する拡張セグメント識別手段と、前記拡張セグメント識別手段の出力に基づいて、受信装置の制御を行う受信機制御手段とを具備することを特徴とする。
【手続補正６】
【補正対象書類名】明細書
【補正対象項目名】００２３
【補正方法】変更
【補正の内容】
【００２３】
本願請求項４に係る発明は、請求項３に従属する発明であり、前記拡張セグメント識別手段は、前記フーリエ変換手段の出力をシンボル間で差動検波する差動検波手段と、前記差動検波手段の出力と、基本セグメントと拡張セグメントのパイロット信号の有無を示す配置情報からの信号との相関を算出する相関算出手段と、前記相関算出手段の出力から受信した信号が基本セグメントであるか拡張セグメントであるかを判定する判定手段とを具備することを特徴とする。
【手続補正７】
【補正対象書類名】明細書
【補正対象項目名】００２４
【補正方法】変更
【補正の内容】
【００２４】
本願請求項５に係る発明は、請求項１〜４いずれかに従属する発明であり、前記受信機制御手段は、基本セグメント受信から拡張セグメント受信への変更時に、変更された旨をユーザに提示することを特徴とする。
【手続補正８】
【補正対象書類名】明細書
【補正対象項目名】００２５
【補正方法】変更
【補正の内容】
【００２５】
本願請求項６に係る発明は、請求項１〜４に従属する発明であり、前記受信機制御手段は、基本セグメント受信から拡張セグメント受信への変更時に、変更された旨をユーザに提示するとともに、自動的に基本セグメントへ再選局することを特徴とする。
【手続補正９】
【補正対象書類名】明細書
【補正対象項目名】００２６
【補正方法】変更
【補正の内容】
【００２６】
本願請求項７に係る発明は、請求項１〜４に従属する発明であり、前記受信機制御手段は、基本セグメント受信から拡張セグメント受信への変更時に、変更された旨をユーザに提示するとともに、次にどのチャネルを選局するかを提示することを特徴とする請求項１〜４のいずれか一項に記載の直交周波数分割多重信号の受信装置。
【手続補正１０】
【補正対象書類名】明細書
【補正対象項目名】００２７
【補正方法】変更
【補正の内容】
【００２７】
本願請求項８に係る発明は、請求項１〜４に従属する発明であり、前記受信機制御手段は、基本セグメント受信から拡張セグメント受信への変更時に、変更された旨をユーザに提示せずに、自動的に基本セグメントへ再選局することを特徴とする。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】